(57)【要約】    【課題】  本発明は、商品抽出用リストに基づいて抽出された商品に対して、商品仕分け場を指定するコード番号と当該商品の特徴と数量とが間違いなく表示され、また、その表示に手間や時間を要しない商標抽出用リストを提供することにある。    【解決手段】  本発明に係る商品抽出用リスト１は、商品データ欄１０と、行き先データ欄２０とから構成され、前記商品データ欄は、商品保管場所表示欄１１及び品番品名表示欄１２とから構成され、前記品番品名表示欄は、その品名の下に「色／サイズ（反長）、数量、仕分け場」を表示する欄が設けられる。一方、行き先データ欄には、前記の品番品名表示欄１２の品名の下に表示された「色／サイズ（反長）、数量、仕分け場」と同一内容の表示がなされ、この欄における商品の色彩等の特徴及び数量と仕分け場の場所を指定するコード番号とを表示する複数の短冊状の表示部からなる表示枠２１は、各表示部毎に剥離再貼付可能なラベルにより構成されている。【選択図】        図１
2005280282.tif 000002
【特許請求の範囲】
【請求項１】
商品に関するデータと当該商品の行き先向け用データとを表示してなるリストであって、商品の行き先向け用データの表示部を剥離再貼付可能なラベルより構成してなることを特徴とする商品抽出用リスト。
【発明の詳細な説明】
【技術分野】
【０００１】
本発明は、商品の抽出して受け渡しをする際に使用されるものであって、例えば物流工程において、商品の出荷指示から出荷完了までの間に使用される商品抽出用リストに関する。
【背景技術】
【０００２】
商品の出荷配送などの物流において、従来は、ある出荷先へ品番の異なる複数の商品を出荷する場合、出荷指示を受けると、図３に示されるような商品抽出用リスト１００が作成され、該商品抽出用リスト１００は、商品保管場所表示欄１１０と、品番品名表示欄１２０と、チェック表示欄１３０とから構成され、品番品名表示欄１２０は、その品名の下に「色／サイズ（反長）、数量、仕分け場」を表示する欄１２１が設けられ、該リスト１００を見れば、抽出すべき品番品名の商品及びその商品の色彩等の特徴及び数量と商品仕分け場の場所を指定するコード番号を知ることができ、当該商品の保管場所を知ることができる。チェック表示欄１３０は当該商品を抽出し、搬送されたときには、四角の枠内にチェックするようになっている。そして、商品抽出用リスト１００の表示に基づいて、品番品名別に商品を保管している場所から、各々の品番品名に該当する商品を抽出し、抽出された商品を出荷先別に指定された商品仕分け場に搬送して箱詰めにし、運送業者を介して出荷するようにしていた。そして、上記のような物流工程において、商品保管場所から商品抽出用リスト１００に記載された商品を抽出する際、商品抽出リストに記載された仕分け場の場所を指定するコード番号と当該商品の特徴と数量を小さなメモに手書きで記入し、商品に貼り付けて商品仕分け場に搬送する。その際、商品抽出用リスト１００のチェック表示欄１３０に、商品抽出済であることを示すチェックを記入していた。
【発明の開示】
【発明が解決しようとする課題】
【０００３】
しかしながら、上記のようなメモに手書きで商品抽出リスト１００に記載された仕分け場を指定するコード番号と当該商品の特徴と数量を記入するような作業は、時間と手間が掛かることはもちろん、商品抽出用リスト１００の見間違いによるメモへの転記間違いや、勘違いによるメモへの書き間違いが発生したり、チェック表示欄１３０における商品抽出済のチェック間違いによる抽出漏れが発生していた。このようなミスが発生した場合、商品仕分け場に搬送した商品と商品仕分け場において既に伝達されている当該出荷先の出荷明細書等の内容とが一致しないため、その不一致の原因究明や復旧に時間と手間を要し、作業効率の悪化を招いていた。
【０００４】
そこで、本発明者は、上記の課題に鑑み、商品抽出用リストに基づいて抽出された商品に対して、商品仕分け場を指定するコード番号と当該商品の特徴と数量とが間違いなく表示され、また、その表示に手間や時間を要しない商標抽出用リストを発明した。
【課題を解決するための手段】
【０００５】
本発明に係る商標抽出用リストは、商品に関するデータと当該商品の行き先向け用データとを表示してなるリストであって、商品の行き先向け用データの表示部を剥離再貼付可能なラベルより構成してなることを特徴とするものである。
【０００６】
上記のように構成すると、商品抽出用リストに表示された商品に関するデータに基づいて商品を抽出した後、当該抽出商品に対し、当該商品の行き先向け用データが表示されたラベルを剥がして、前記抽出商品に貼付する。このような極めて簡単な手間及び時間を要しない作業により、商品抽出用リストに表示された商品に関するデータに基づいて抽出された商品と当該商品に貼付された商品の行き先向け用データとに不一致が生ずることはなく、また、商品抽出用リストにおいて、商品の行き先向け用データが表示されたラベルが除去されている場合は、そのラベルが必ずそのラベルに該当する商品に貼付されているのであるから、商品の抽出漏れが発生するようなことは一切生じない。
【０００７】
なお、商品に関するデータ及び当該商品の行き先向け用データとしては、コード番号表示、バーコード表示、磁気表示等の一般にデータとして確認できるものであれば、どのようなものでも使用できる。
【発明の効果】
【０００８】
以上のように本発明に係る商品抽出用リストは、商品抽出用リストに剥離再貼付可能なラベルを一体化して、そのラベルに搬送先場所である仕分け場のコード番号や、商品の特徴や数量等の行き先向け用データを印字などの表示手段により表示し、抽出した商品に当該ラベルを剥がして貼付できるようにしたので、人的行為である手書き作業をなくすことができ、そのため間違いが発生せず、したがって作業効率を向上させるものである。
【発明を実施するための最良の形態】
【０００９】
本発明に係る好適な実施例を添付の図面に基づいて詳細に説明する。
【００１０】
図１は本実施例に係る商品抽出用リストの表面図であり、図２は本実施例に係る商品抽出用リストの裏面図である。
【００１１】
図１において、１は本実施例に係る商品抽出用リストであり、商品に関するデータを表示する商品データ欄１０と、商品の行き先向け用データを表示する行き先データ欄２０とから構成される。
【００１２】
商品データ欄１０は、商品保管場所表示欄１１及び品番品名表示欄１２とから構成され、品番品名表示欄１２は、その品名の下に「色／サイズ（反長）、数量、仕分け場」を表示する欄が設けられ、該商品抽出用リスト１を見れば、抽出すべき品番品名の商品及びその商品の色彩等の特徴及び数量と仕分け場の場所を指定するコード番号を知ることができ、当該商品の保管場所を知ることができるようになっている。
【００１３】
行き先データ欄２０には、前記の品番品名表示欄１２の品名の下に表示された「色／サイズ（反長）、数量、仕分け場」と同一内容の表示がなされ、この欄における商品の色彩等の特徴及び数量と仕分け場の場所を指定するコード番号を表示する複数の短冊状の表示部にて構成される表示枠２１は、各表示部毎に剥離再貼付可能なラベルにより構成されている。
【００１４】
例えば、品番品名表示欄１２の項目欄１２ａの１段目１２（１）には抽出すべき商品の品番が「１１２０−０００６２」であることが示され、品名が「ベッドパッド」であって、この品名の下に、色彩が「白」でサイズ「Ｓ寸」のもの１個を仕分け場のコード番号「Ｃ００３」に搬送し、色彩が「ピンク」でサイズ「Ｓ寸」のもの１個を仕分け場のコード番号「Ｃ００８」に搬送し、色彩が「ブルー」でサイズ「Ｓ寸」のもの１個を仕分け場のコード番号「Ｃ０１４」に搬送することが示されている。そして、商品保管場所表示欄１１の項目欄１１ａの１段目１１（１）には、前記商品が保管されている場所を示すコード番号「２６−０１−１−０３」が表示されている。
【００１５】
さらに、行き先データ欄２０の項目２０ａの１段目２０（１）には、前記品番品名表示欄１２の１段目１２（１）における品名の下に示されるデータ、すなわち、色彩が「白」でサイズ「Ｓ寸」のもの１個で搬送先の仕分け場のコード番号「Ｃ００３」、色彩が「ピンク」でサイズ「Ｓ寸」のもの１個を仕分け場のコード番号「Ｃ００８」に搬送し、色彩が「ブルー」でサイズ「Ｓ寸」のもの１個を仕分け場のコード番号「Ｃ０１４」に搬送することが示されている。そして、前記１段目１２（１）の表示は、「（白／Ｓ寸  １  Ｃ００３）」が短冊状の表示部２１（１）上に印字され、「（ピンク／Ｓ寸  １  Ｃ００８）」が短冊状の表示部２１（２）上に印字され、「（ブルー／Ｓ寸  １  Ｃ０１４）」が短冊状の表示部２１（３）上に印字されており、各表示部２１（１）〜２１（３）は前述したように、剥離再貼付可能なラベルにより構成されていて、各表示部毎に剥離可能であり、剥離した表示部は、その裏面に反復接着可能な易剥離性の接着剤が塗布されているので、どこにでも接着可能であり、かつ、簡単に剥離することができる。この表示枠２１の構成は、図２に示されるように、個々に分離可能に連設した表示部２１（１）・・・の裏面及びその周囲部２２に前記接着剤が塗布され、その上から離型紙３０が貼着されたものである。
【００１６】
上記のように本実施例に係る商品抽出用リスト１を構成したことにより、商品抽出用リスト１に表示された商品データ欄１０の表示に基づいて商品を抽出した後、当該抽出商品に対し、当該商品に対応する行き先データ欄２０に示された各表示部２１（１）・・・を剥がして、前記抽出商品に貼付する。そうすると、抽出商品とそれに貼付される商品の特徴及び色彩や行き先等のデータを表示した表示部とが必ず一致し、かつ、表示部が剥がされている場合にはその表示部に対応する商品が抽出済であることが一目瞭然である。
【００１７】
したがって、背景技術で述べた従来の商品抽出用リスト１００に代えて本実施例の商品抽出用リスト１を使用すると、商品抽出用リスト１に示された商品を抽出して、その商品に該当する表示部を貼付するだけの極めて簡単な手間及び時間を要しない作業により、従来行われていたメモを作成し、抽出済商品についてはチェックを記入するというような面倒な手書き作業がなくなるとともに、従来において抽出商品とそれに貼付される商品の特徴及び色彩や行き先等のデータを表示した表示部とが一致しないというような間違いがなくなり、また、チェックミス等による商品の抽出漏れがなくなる。これにより、作業性が飛躍的に改善するので、作業効率を著しく向上させるものである。
【産業上の利用可能性】
【００１８】
本発明に係る商品抽出用リストは、上述したように物流工程において使用されることはもちろん、これに限られるものではなく、物品を抽出し、抽出された物品を受け渡しするような作業が伴う場合であれば、適宜利用可能である。
【図面の簡単な説明】
【００１９】
【図１】本発明の実施例に係る商品抽出用リストの表面図である。
【図２】本発明の実施例に係る商品抽出用リストの裏面図である。
【図３】従来の商品抽出用リストの表面図である。
【符号の説明】
【００２０】
１・・・商品抽出用リスト
１０・・商品データ欄
２０・・行き先データ欄
１１・・商品保管場所表示欄
１２・・品番品名表示欄
２１・・表示枠
１２ａ・品番品名表示欄の項目欄
１２（１）・品番品名表示欄の１段目
１１ａ・商品保管場所表示欄の項目欄
１１（１）・商品保管場所表示欄の１段目
２０ａ・行き先データ欄の項目欄
２０（１）・行き先データ欄の１段目
２１（１）〜２１（３）・・表示部
２２・・・表示部裏面の周囲部
３０・・・離型紙
【図１】
2005280282.tif 000003
【図２】
2005280282.tif 000004
【図３】
2005280282.tif 000005